(57)【特許請求の範囲】
【請求項１】
第１面及び前記第１面に対向する第２面を有するシート状の本体部と、
前記本体部の第２面に対向して配置された太陽電池パネルと、
を備え、
前記本体部の前記第１面は平坦面であり、前記第２面は、一軸方向に交互に配列された複数の向き調整面及び複数の光透過面と、を含み、
前記向き調整面は、前記太陽電池パネルのパネル面に対して傾斜し、
前記光透過面は、前記太陽電池パネルのパネル面に対して前記向き調整面とは異なる角度で傾斜し、
前記向き調整面に、表示を行うための表示面が配置されている、太陽電池複合型表示体。
【請求項２】
前記本体部の屈折率をｎ１とし、前記光透過面が前記本体部のシート面に対してなす角度をθ２としたとき、ｎ１×Ｓｉｎθ２＜１、の関係が成り立つ、請求項１に記載の太陽電池複合型表示体。
【請求項３】
前記一軸方向及び前記本体部の法線方向の両方に平行な断面において、前記向き調整面は、前記本体部の法線方向に対して前記光透過面とは逆側に傾斜している、請求項１又は２に記載の太陽電池複合型表示体。
【請求項４】
各向き調整面は、前記一軸方向において一側に位置する端部が、前記一軸方向において他側に位置する端部よりも、前記本体部の法線方向において前記太陽電池パネルから離間するように、前記太陽電池パネルのパネル面に対して傾斜し、
各光透過面は、前記一軸方向において他側に位置する端部が、前記一軸方向において一側に位置する端部よりも、前記本体部の法線方向において前記太陽電池パネルから離間するように、前記太陽電池パネルのパネル面に対して傾斜している、請求項１〜３のいずれか一項に記載の太陽電池複合型表示体。
【請求項５】
前記一軸方向及び前記本体部の法線方向の両方に平行な断面において、前記向き調整面と、前記一軸方向における他側で当該向き調整面と隣り合う前記光透過面と、の前記一軸方向に沿った間隔は、前記本体部の前記法線方向において前記太陽電池パネルに接近していくにつれて、狭くなっていく、請求項１〜４のいずれか一項に記載の太陽電池複合型表示体。
【請求項６】
各表示面に表示対象要素が付与され、前記表示対象要素の組み合わせで表示対象が形成される、請求項１〜５のいずれか一項に記載の太陽電池複合型表示体。
【請求項７】
前記本体部の法線方向に沿って当該本体部の前記第１面に入射した光が、前記光透過面に入射するときの入射角は、当該光透過面における全反射臨界角よりも小さい、請求項１〜６のいずれか一項に記載の太陽電池複合型表示体。
【発明の詳細な説明】
【技術分野】
【０００１】
本発明は、表示を行うための表示面を含み、太陽電池パネルによる発電も行うことが可能な太陽電池複合型表示体に関する。
【背景技術】
【０００２】
このような太陽電池複合型表示体の一例として、太陽電池パネルを併設した交通標識が特許文献１に記載されている。特許文献１に記載の交通標識では、昼間に太陽電池パネルにて発電した電力を蓄え、この蓄えた電力を照明用電源として利用し、夜間の視認性や昼間の注意喚起効果を向上させることができる。また、外部から電力を供給する配線ケーブル等が不要なため、電源設備がない地域であっても容易に設置することができる。このような背景から、近年太陽電池パネルを併設した交通標識の開発が進められてきている。
【先行技術文献】
【特許文献】
【０００３】
【特許文献１】特開２０００−５４３２５号公報
【発明の概要】
【発明が解決しようとする課題】
【０００４】
特許文献１に記載の交通標識では、太陽電池パネルが表示面の上方に併設されている。
多くの外光を受光して多くの発電量を得られるよう、太陽電池パネルの受光面は、外部に露出している。このため、交通標識を観察する観察者によって、太陽電池パネルの受光面は視認され易い位置にある。しかしながら、太陽電池パネルの受光面は濃紺色や黒色の単一色であるため、太陽電池パネルの外観は、周囲の環境になじまない。
【０００５】
本発明は、以上の点を考慮してなされたものであり、周囲の環境との調和を図ると共に、表示面による表示及び太陽電池パネルによる発電の両立が可能な太陽電池複合型表示体を提供することを目的とする。
【課題を解決するための手段】
【０００６】
本発明による太陽電池複合型表示体は、第１面及び前記第１面に対向する第２面を有するシート状の本体部と、
前記本体部の第２面に対向して配置された太陽電池パネルと、を備え、
前記本体部の前記第２面は、一軸方向に交互に配列された複数の向き調整面及び複数の光透過面と、を含み、
前記向き調整面は、前記太陽電池パネルのパネル面に対して傾斜し、
前記光透過面は、前記太陽電池パネルのパネル面に対して前記向き調整面とは異なる角度で傾斜し、
前記向き調整面に、表示を行うための表示面が配置されている。
【０００７】
本発明による太陽電池複合型表示体において、前記一軸方向及び前記本体部の法線方向の両方に平行な断面において、前記向き調整面は、前記本体部の法線方向に対して前記光透過面とは逆側に傾斜していてもよい。
【０００８】
本発明による太陽電池複合型表示体において、各向き調整面は、前記一軸方向において一側に位置する端部が、前記一軸方向において他側に位置する端部よりも、前記本体部の法線方向において前記太陽電池パネルから離間するように、前記太陽電池パネルのパネル面に対して傾斜し、各光透過面は、前記一軸方向において他側に位置する端部が、前記一軸方向において一側に位置する端部よりも、前記本体部の法線方向において前記太陽電池パネルから離間するように、前記太陽電池パネルのパネル面に対して傾斜していてもよい。
【０００９】
本発明による太陽電池複合型表示体において、前記一軸方向及び前記本体部の法線方向の両方に平行な断面において、前記向き調整面と、前記一軸方向における他側で当該向き調整面と隣り合う前記光透過面と、の前記一軸方向に沿った間隔は、前記本体部の前記法線方向において前記太陽電池パネルに接近していくにつれて、狭くなっていてもよい。
【００１０】
本発明による太陽電池複合型表示体において、各表示面に表示対象要素が付与され、前記表示対象要素の組み合わせで表示対象が形成されてもよい。
【００１１】
本発明による太陽電池複合型表示体において、前記本体部の法線方向に沿って当該本体部の前記第１面に入射した光が、前記光透過面に入射するときの入射角は、当該光透過面における全反射臨界角よりも小さくてもよい。
【発明の効果】
【００１２】
本発明によれば、周囲の環境との調和を図ると共に、表示面による表示及び太陽電池パネルによる発電の両立が可能な太陽電池複合型表示体を提供することができる。
【図面の簡単な説明】
【００１３】
【図１】図１は、本発明による一実施の形態を説明するための図であって、太陽電池複合型表示体を示す斜視図である。
【図２】図２は、図１のＩＩ−ＩＩ線に沿った断面図である。
【図３】図３は、太陽電池複合型表示体に表示される表示対象の一例を示す図である。
【図４】図４は、図２と同様の断面において、太陽電池複合型表示体の作用を説明するための図である。
【図５】図５は、図２と同様の断面において、太陽電池複合型表示体の作用を説明するための図である。
【図６】図６は、太陽電池複合型表示体の製造方法を説明するための図である。
【図７】図７は、太陽電池複合型表示体の製造方法を説明するための図である。
【図８】図８は、太陽電池複合型表示体の製造方法を説明するための図である。
【図９】図９は、図２に対応する図であって、太陽電池パネルに向かう光の光路を説明するための断面図である。
【図１０】図１０は、図２に示す太陽電池複合型表示体の一変形例を示す断面図である。
【図１１】図１１は、図２に示す太陽電池複合型表示体の別の変形例を示す断面図である。
【図１２】図１２は、図２に示す太陽電池複合型表示体のさらに別の変形例を示す断面図である。
【図１３】図１３は、図２に示す太陽電池複合型表示体のさらに別の変形例を示す断面図である。
【発明を実施するための形態】
【００１４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１５】
図１〜図９は、本発明の一実施の形態を説明するための図である。このうち図１、図２は、太陽電池複合型表示体１０の構成を示す斜視図または縦断面図であり、図３〜図５並びに図９は、太陽電池複合型表示体１０の作用を説明するため図であり、図６〜図８は、太陽電池複合型表示体の製造方法の一例を説明するための図である。
【００１６】
ここで説明する太陽電池複合型表示体１０は、所定の表示機能及び外光を利用した発電機能の両方を発揮する。図１及び図２に示す太陽電池複合型表示体１０において、第１軸方向ｄ１に交互に配列された複数の向き調整面２１及び複数の光透過面２２が、太陽電池パネル５０よりも入光側に設けられている。或る角度範囲ＡＲ１内の方向Ｄ２１から太陽電池複合型表示体１０を観察すると、主として向き調整面２１に配置された表示面１２が観察される。したがって、表示面１２は、或る角度範囲ＡＲ１から太陽電池複合型表示体１０を観察する観察者に対して表示機能を発揮する。一方、別の或る角度範囲ＡＲ２内の方向から入射した光Ｌ２２は、主として光透過面２２を通過して太陽電池パネル５０に導かれる。したがって、太陽電池パネル５０は、別の或る角度範囲ＡＲ２から太陽電池複合型表示体１０へ入射する光に対して発電機能を発揮する。しかして、太陽電池複合型表示体１０によれば、観察者からの観察方向と外光の入射方向との相違を利用して、観察者が表示面１２を観察する際に太陽電池パネル５０が視認されることを抑制し、周囲との調和を図ることを可能にしている。
【００１７】
以下、本実施の形態による太陽電池複合型表示体１０の構成および作用効果について詳述していく。図１および図２によく示されているように、太陽電池複合型表示体１０は、シート状の本体部２０と、本体部２０の背面に配置された太陽電池パネル５０と、を備えている。本体部２０は、太陽電池複合型表示体１０の表面１０ａを形成し、太陽電池パネル５０は、太陽電池複合型表示体１０の裏面１０ｂを形成している。表面１０ａは、太陽電池複合型表示体１０へ入射する太陽光等の外光等の入射面をなす。また、表面１０ａは、表示対象１３（図３参照）を可視化する表示面１２からの光が太陽電池複合型表示体１０から出射する出射面をなす。
【００１８】
シート状の本体部２０は、互いに対向する一対の主面として、第１面２０ａ及び第２面２０ｂを有している。第１面２０ａは、太陽電池複合型表示体１０の表面１０ａを形成し、第２面２０ｂは、太陽電池パネル５０に対向する面をなしている。本体部２０の第２面２０ｂは、第１軸方向ｄ１に交互に配列された複数の向き調整面２１及び複数の光透過面２２と、を含んでいる。向き調整面２１には、表示対象１３を表示するための表示面１２が配置されている。向き調整面２１は、表示面１２を支持すると共に、表示面１２を観察し得る視野角を調整するべく設けられている。一方、光透過面２２は、隣り合う表示面１２の間で太陽電池複合型表示体１０に入射する光Ｌ２２を透過させて、太陽電池パネル５０に導くために設けられている。なお、図示する例では、複数の向き調整面２１は互いに同一に構成され、複数の光透過面２２も互いに同一に構成されている。
【００１９】
なお、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００２０】
また、本明細書において、「シート面（フィルム面、板面、パネル面）」とは、対象となるシート状の部材を全体的かつ大局的に見た場合において対象となるシート状部材の平面方向と一致する面のことを指す。以下に説明する実施の形態においては、本体部２０のシート面、太陽電池パネル５０のパネル面、並びに太陽電池パネル５０の受光面５０ａは、互いに並行となっている。さらに、本明細書において、シート状（フィルム状、板状、パネル状）の部材に対して用いる「法線方向」とは、当該部材のシート面への法線方向のことを指す。
【００２１】
図１に示すように、各向き調整面２１及び各光透過面２２は、その配列方向である第１軸方向ｄ１に対して交差する方向に線状に延びている。とりわけ図示された例において、各向き調整面２１及び各光透過面２２は、第１軸方向ｄ１及び法線方向ｎｄの両方と直交する第２軸方向ｄ２に、直線状に延びている。また、図２に示す例では、各向き調整面２１と各光透過面２２とは、法線方向ｎｄからみて互いにずれて配置されている。なお、本実施の形態において、第１軸方向ｄ１及び第２軸方向ｄ２は、本体部２０のシート面に沿っており、本体部２０の法線方向ｎｄに直交している。図示された例において、太陽電池複合型表示体１０は、第１軸方向ｄ１が鉛直方向と平行になり第２軸方向ｄ２が水平方向と平行になるようにして、配置されている。
【００２２】
各向き調整面２１は、本体部２０のシート面、言い換えると、太陽電池パネル５０のパネル面に対して傾斜し、本体部２０の法線方向ｎｄに対しても傾斜している。すなわち、各向き調整面２１は、本体部２０のシート面及び本体部２０の法線方向ｎｄのいずれとも非平行になっている。向き調整面２１と共に当該向き調整面２１に配置された表示面１２を太陽電池パネル５０のパネル面に対して傾斜させることにより、表示面１２に付与された表示対象１３を観察し得る視野角となる第１角度範囲ＡＲ１を、高い自由度で調整することが可能となる。
【００２３】
図２に示すように、各向き調整面２１は、第１軸方向ｄ１において一側（図示する例では、図２における上側であって、鉛直方向における上側）に位置する一端部２１ａが、第１軸方向ｄ１において他側（図示する例では、図２における下側であって、鉛直方向における下側）に位置する他端部２１ｂよりも、本体部２０の法線方向ｎｄにおいて太陽電池パネル５０から離間するように、本体部２０のシート面に対して傾斜している。したがって、向き調整面２１の一端部２１ａは、向き調整面２１の他端部２１ｂよりも、本体部２０の法線方向ｎｄにおいて太陽電池パネル５０から離間している。図２から理解され得るように、このような向き調整面２１によれば、法線方向ｎｄに対して他側に傾斜した角度範囲に向けて、光が出射しやすくなる。したがって、向き調整面２１に配置された表示面１２からの表示機能は、法線方向ｎｄに対して他側に傾斜した方向Ｄ２１から観察されたときに、効果的に発揮されるようになる。
【００２４】
このような傾向を強化する観点から、太陽電池複合型表示体の主切断面において、向き調整面２１は、第１軸方向ｄ１における一側（上側）から他側（下側）に向けて、段階的又は連続的に、本体部２０の法線方向ｎｄにおいて太陽電池パネル５０に接近していくことが好ましい。図示された例において、向き調整面２１は平面として形成されている。そして、図２に示された太陽電池複合型表示体の主切断面において、向き調整面２１は、第１軸方向ｄ１における一側から他側に向けて、連続的に一定の傾斜の程度で、本体部２０の法線方向ｎｄに沿って太陽電池パネル５０に接近していく。このような向き調整面２１によれば、向き調整面２１に配置された表示面１２からの表示機能が、法線方向ｎｄに対して他側に傾斜した方向Ｄ２１から観察されたときに、効果的に発揮されるようになる。
【００２５】
上述したように、向き調整面２１に、表示対象１３を表示するための表示面１２が配置されている。本実施の形態では、表示面１２は、向き調整面２１に重なるように当該向き調整面２１に沿って配置されている。したがって、表示面１２から第１角度範囲ＡＲ１へ向けて太陽電池複合型表示体１０から出射する光は、表示面１２に付与された表示対象１３を可視化させる。すなわち、第１角度範囲ＡＲ１から表示面１２が視認され、結果として、表示面１２に形成された表示対象１３を観察することができる。なお、表示面１２によって動く表示対象１３を表示する場合、太陽電池パネル５０から発電された電気を駆動に用いることが簡便である。
【００２６】
図３に、表示面１２に形成される表示対象１３の一例が示されている。複数の表示面１２が、第１軸方向ｄ１に配列されるとともに、各表示面１２は、第１軸方向ｄ１に直交する第２軸方向ｄ２に直線状に延びている。したがって、第１軸方向ｄ１における各位置に位置する表示面１２が、当該表示面１２の第１軸方向ｄ１における位置に応じた表示対象要素１３ａを付与されることによって、第２軸方向ｄ２に細長く延びる各第１光学機能面１１に形成された表示対象要素１３ａの組み合わせとして二次元的な表示対象１３を表示することが可能となる。図３に示された例では、アルファベットの大文字の「Ｎ」が表示対象１３として表示されている。このように、複数の表示対象要素１３ａの組み合わせとして表示対象１３を表示することで、各向き調整面２１のサイズを小さくできるため、第１角度範囲ＡＲ１を広げたり太陽電池複合型表示体１０のサイズを大きくしたとしても、より良好な表示対象１３を観察できるようになる。
【００２７】
上述のように、本実施の形態の太陽電池複合型表示体１０は、表示対象１３が連続して表示される角度範囲を高い自由度で調整可能である。そのため、本実施の形態の太陽電池複合型表示体１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途や、卓上スタンド、携帯端末などで用いられる数ｃｍ〜数十ｃｍの小型パネル用途などを例示することができる。
【００２８】
一方、隣り合う向き調整面２１の間に位置する各光透過面２２は、本体部２０のシート面、言い換えると、太陽電池パネル５０のパネル面に対して傾斜し、本体部２０の法線方向ｎｄに対しても傾斜している。すなわち、各向き調整面２１は、本体部２０のシート面及び本体部２０の法線方向ｎｄのいずれとも非平行になっている。光透過面２２を太陽電池パネル５０のパネル面に対して傾斜させることにより、太陽電池パネル５０による発電が連続して安定して行われるようになる角度範囲である第２角度範囲ＡＲ２を、高い自由度で調整することが可能となる。
【００２９】
光透過面２２が本体部２０のシート面に対して傾斜する角度は、向き調整面２１が光制御シート２０のシート面に対して傾斜する角度と異なっている。とりわけ、図２に示す太陽電池複合型表示体の主断面において、光透過面２２は、本体部２０の法線方向ｎｄに対して向き調整面２１とは反対側に傾斜している。上述のように、各向き調整面２１は、一端部２１ａが他端部２１ｂよりも本体部２０の法線方向ｎｄにおいて太陽電池パネル５０から離間するように、本体部２０のシート面に対して傾斜している。したがって、各光透過面２２は、第１軸方向ｄ１において他側に位置する他端部２２ｂが、第１軸方向ｄ１において一側に位置する一端部２２ａよりも、本体部２０の法線方向ｎｄにおいて太陽電池パネル５０から離間するように、本体部２０のシート面に対して傾斜している。図２から理解され得るように、このような光透過面２２は、法線方向ｎｄに対して一側に傾斜した角度範囲からの光が、入射しやすくなる。したがって、法線方向ｎｄに対して一側に傾斜した方向から太陽電池複合型表示体１０に入射する光Ｌ２２を、太陽電池パネル５０により導きやすくなる。
【００３０】
このような傾向を強化する観点から、太陽電池複合型表示体の主切断面において、光透過面２２は、第１軸方向ｄ１における他側から一側に向けて、段階的又は連続的に、本体部２０の法線方向ｎｄにおいて太陽電池パネル５０に接近していくことが好ましい。図示された例において、光透過面２２は平面として形成されている。そして、図２に示された太陽電池複合型表示体の主切断面において、光透過面２２は、第１軸方向ｄ１における他側から一側に向けて、連続的に一定の傾斜の程度で、本体部２０の法線方向ｎｄに沿って太陽電池パネル５０に接近していく。このような光透過面２２によれば、法線方向ｎｄに対して一側に傾斜した方向から太陽電池複合型表示体１０に入射する光Ｌ２２を、太陽電池パネル５０により有効に導きやすくなる。
【００３１】
次に、向き調整面２１と光透過面２２との関係について述べる。図２に示す太陽電池複合型表示体の主断面において、向き調整面２１と、第１軸方向ｄ１における他側で当該向き調整面２１と隣り合う光透過面２２と、の第１軸方向ｄ１に沿った間隔ｄｔは、本体部２０の法線方向ｎｄにおいて太陽電池パネル５０に接近していくにつれて、段階的又は連続的に狭くなっていく。言い換えると、向き調整面２１上の各位置と、第１軸方向ｄ１における他側で当該向き調整面２１と隣り合う光透過面２２と、の第１軸方向ｄ１に沿った間隔ｄｔが、当該向き調整面２１上の位置が本体部２０の法線方向ｎｄに沿って太陽電池パネル５０に接近していくにつれて、段階的又は連続的に狭くなっていく。したがって、向き調整面２１の他端部２１ｂは、他側に位置する光透過面２２の一端部２２ａと最も接近する。図示された実施の形態では、向き調整面２１の他端部２１ｂは、他側に位置する光透過面２２の一端部２２ａと繋がっている。もっとも、向き調整面２１の他端部２１ｂは、他側に位置する光透過面２２の一端部２２ａから離間していてもよい。
【００３２】
一方、向き調整面２１の一端部２１ａは、第１軸方向ｄ１における一側で当該向き調整面２１と隣り合う光透過面２２の他端部２２ｂと繋がっている。もっとも、向き調整面２１の一端部２１ａは、第１軸方向ｄ１における一側で当該向き調整面２１と隣り合う光透過面２２の他端部２２ｂから離間していてもよい。
【００３３】
また、図２に示す主切断面において、向き調整面２１は、当該向き調整面２１と隣り合う光透過面２２の長さと等しくなっている。したがって、本体部２０の第２面２０ｂに占める向き調整面２１の割合は、本体部２０の第２面２０ｂに占める光透過面２２の割合と等しい。ただし、図２に示す主切断面において、向き調整面２１は、当該向き調整面２１と隣り合う光透過面２２の長さと異なっていてもよい。とりわけ、向き調整面２１が当該向き調整面２１と隣り合う光透過面２２よりも短くなっている場合、本体部２０の第２面２０ｂに占める向き調整面２１の割合を、本体部２０の第２面２０ｂに占める光透過面２２の割合よりも小さくすることができる。この場合、相対的に多くの光を光透過面２２に導き易くなる傾向となり、結果として、より多くの光を太陽電池パネル５０に導くことに寄与し得る。
【００３４】
また、図２に示す例では、向き調整面２１が本体部２０のシート面に対してなす角度θ１は、光透過面２２が本体部２０のシート面に対してなす角度θ２と等しい。ただし、向き調整面２１が本体部２０のシート面に対してなす角度θ１は、観察されることが意図された観察者による観察方向に応じて決定され、光透過面２２が本体部２０のシート面に対してなす角度θ２は、取り込むことが意図された外光の入射方向に応じて決定される。したがって、向き調整面２１が本体部２０のシート面に対してなす角度θ１は、光透過面２２が本体部２０のシート面に対してなす角度θ２と異なっていてもよい。
【００３５】
また、図２に示す例では、各向き調整面２１及び各光透過面２２が、平坦面からなる。
ただし、このような例に限定されず、各向き調整面２１及び各光透過面２２は、曲面からなってもよい。一例として、各向き調整面２１及び各光透過面２２は、レンズ面のような球面乃至湾曲面の一部をなしてもよい。より具体的には、各向き調整面２１及び各光透過面２２は、外方側に向かって凸となるように湾曲したレンズ面であってもよいし、内方側に向かって凹となるように湾曲したレンズ面であってもよい。向き調整面２１が曲面からなる場合、「向き調整面２１が平面に対して傾斜する」とは、図２に示す主切断面において、向き調整面２１の両端部２１ａ、２１ｂを結ぶ直線が平面に対して傾斜することを意味する。また、向き調整面２１が本体部２０のシート面に対してなす角度θ１は、図２に示す主切断面において、向き調整面２１の両端部２１ａ、２１ｂを結ぶ直線が本体部２０のシート面に対してなす角度をいう。同様に、光透過面２２が曲面からなる場合、「光透過面２２が平面に対して傾斜する」とは、図２に示す主切断面において、光透過面２２の両端部２２ａ、２２ｂを結ぶ直線が平面に対して傾斜することを意味する。また、光透過面２２が本体部２０のシート面に対してなす角度θ２は、図２に示す主切断面において、光透過面２２の両端部２２ａ、２２ｂを結ぶ直線が本体部２０のシート面に対してなす角度をいう。
【００３６】
また、図２に示すように、本体部２０の第２面２０ｂのうち、本体部２０の法線方向ｎｄに沿って太陽電池パネル５０に接近するように突出した地点を頂部２３とする。この場合、頂部２３は、１つの光透過面２２の一端部２２ａと１つの向き調整面２１の他端部２１ｂとの接続位置として規定される。本実施の形態では、本体部２０の頂部２３に接するようにして太陽電池パネル５０が配置され、本体部２０の第２面２０ｂと太陽電池パネル５０との間に空気層３０が形成されている。図２に示す例では、空気層３０は、本体部２０の向き調整面２１と、本体部２０の光透過面２２と、太陽電池パネル５０の受光面５０ａと、によって囲まれる空間に形成されている。なお、太陽電池パネル５０は、本体部２０の頂部２３に接するように配置された例に限定されず、頂部２３から離間して配置されていてもよい。また、本体部２０は、太陽電池パネル５０と空気層３０を介して配置された例に限定されず、太陽電池パネル５０と接合層を介して接合されていてもよい。
【００３７】
この太陽電池パネル５０は、受光面５０ａで受光した光を電気エネルギーに変換する発電装置である。太陽電池パネル５０の受光面５０ａには、第２角度範囲ＡＲ２から光透過面２２に取り込まれた光Ｌ２２が導かれるようになっており、この光Ｌ２２が発電に利用される。
【００３８】
図２に示すように、太陽電池パネル５０は、第１軸方向ｄ１に配列された複数の向き調整面２１及び複数の光透過面２２の各々に対向して、平面状に延び広がっている。図示された例において、太陽電池パネル５０は、本体部２０のシート面と平行に延びている。したがって図示された例では、第１光学機能面１１は、向き調整面２１及び光透過面２２の配列方向である第１軸方向ｄ１と平行に延び広がり、且つ、向き調整面２１及び光透過面２２の長手方向である第２軸方向ｄ２とも平行に延び広がっている。
【００３９】
このような太陽電池パネル５０として、種々の形態のものを使用することができる。例えば、単結晶シリコンまたは多結晶シリコン等からなる平板状のシリコン基板を含むシリコン系太陽電池パネル、薄膜太陽電池パネル、カルコパイライト系太陽電池等を、太陽電池パネル５０として用いることができる。
【００４０】
次に、上述してきた太陽電池複合型表示体１０の製造方法の一例について、主として図６〜図８を参照しながら説明する。
【００４１】
まず、図６に示すように、透明樹脂を成型することにより、本体部２０を作製する。成型は、熱溶融押出加工や射出成型等を採用することができる。図６に示すように、得られた本体部２０の第２面２０ｂには、複数の向き調整面２１と複数の光透過面２２とが交互に形成されている。
【００４２】
次に、図７に示すように、本体部２０の向き調整面２１に表示面１２を形成する。一例として、インクジェット印刷によって、本体部２０の向き調整面２１に表示面１２を形成する。その後、図８に示すように、本体部２０の第２面２０ｂに対向して太陽電池パネル５０を配置する。これにより、太陽電池複合型表示体１０が得られる。
【００４３】
次に、主として、図４及び図５を参照しながら、太陽電池複合型表示体１０の作用について説明する。太陽電池複合型表示体１０は、例えば、向き調整面２１及び光透過面２２の配列方向である第１軸方向ｄ１が鉛直方向に沿うようにして、配置される。具体的には、第１軸方向ｄ１における一側が、鉛直方向における上側に沿い、第１軸方向ｄ１における他側が、鉛直方向における下側に沿うように、太陽電池複合型表示体１０が配置される。
【００４４】
図４によく示されているように、傾斜した向き調整面２１に配置された表示面１２は、当該表示面１２の正面方向から視認され易い。図５に示す例では、表示面１２が本体部２０の法線方向ｎｄに対して第１軸方向ｄ１における一側に傾斜しているため、当該法線方向ｎｄに対して第１軸方向ｄ１における他側に傾斜した方向Ｄ４１、Ｄ４２、Ｄ４３から太陽電池複合型表示体１０を観察したときに表示面１２を視認し易くなる。このように、向き調整面２１を本体部２０の法線方向ｎｄに対して傾斜させることにより、向き調整面２１に位置する表示面１２が観察される視野角となる第１角度範囲ＡＲ１を、高い自由度で調整することができる。したがって、観察者は、優れた視認性で表示対象１３を観察することができ、且つ、優れた意匠性で表示対象１３を表示することができる。
【００４５】
一方、向き調整面２１とは異なる角度で傾斜した光透過面２２は、向き調整面２１を視認し易い方向Ｄ４１、Ｄ４２、Ｄ４３とは異なる方向から入射する光Ｌ５１、Ｌ５２、Ｌ５３を効率的に取り込むことが可能となる。図５に示す例では、光透過面２２が本体部２０の法線方向ｎｄに対して第１軸方向ｄ１における他側に傾斜しているため、当該法線方向ｎｄに対して第１軸方向ｄ１における一側に傾斜した方向から太陽電池複合型表示体１０に入射する光Ｌ５１、Ｌ５２、Ｌ５３を効率的に取り込むことが可能となる。光透過面２２に取り込まれた光Ｌ５１、Ｌ５２、Ｌ５３は、空気層３０内を進行して太陽電池パネル５０に導かれる。このように、光透過面２２を向き調整面２１とは異なる角度で本体部２０の法線方向ｎｄに対して傾斜させることにより、太陽電池パネル５０に導かれるようになる太陽電池複合型表示体１０への入射方向の角度範囲である第２角度範囲ＡＲ２を、高い自由度で調整することができる。したがって、本実施の形態による太陽電池複合型表示体１０では、時間帯や季節に応じて入射方向を変化させる太陽光を、効率的に受光して、太陽電池パネル５０での発電に利用することが可能となる。
【００４６】
以上のように、本実施の形態によれば、第１面２０ａ及び第１面２０ａに対向する第２面２０ｂを有するシート状の本体部２０と、本体部２０の第２面２０ｂに対向して配置された太陽電池パネル５０と、を備え、本体部２０の第２面２０ｂは、第１軸方向ｄ１に交互に配列された複数の向き調整面２１及び複数の光透過面２２と、を含み、向き調整面２１は、太陽電池パネル５０のパネル面に対して傾斜し、光透過面２２は、太陽電池パネル５０のパネル面に対して向き調整面２１とは異なる角度で傾斜し、向き調整面２１に、表示を行うための表示面１２が配置されている。このような太陽電池複合型表示体１０によれば、向き調整面２１及び光透過面２２が太陽電池パネル５０のパネル面に対して傾斜しているため、傾斜した向き調整面２１及び光透過面２２が、各々の正面方向から入射する光を有効に利用し易くなる。とりわけ、光透過面２２は、向き調整面２１と異なる角度で太陽電池パネル５０のパネル面に対して傾斜している。このため、向き調整面２１に配置された表示面１２は、光透過面２２に取り込まれ易い光Ｌ２２、Ｌ５１〜Ｌ５３の傾斜する方向とは異なる方向Ｄ２１、Ｄ４１〜Ｄ４３から太陽電池複合型表示体１０を観察したときに視認され易くなり、光透過面２２は、向き調整面２１を視認し易い方向Ｄ２１、Ｄ４１〜Ｄ４３とは異なる方向から太陽電池複合型表示体１０に入射する光Ｌ２２、Ｌ５１〜Ｌ５３を有効に取り込む。このように、光透過面２２を向き調整面２１とは異なる角度で太陽電池パネル５０のパネル面に対して傾斜させることにより、向き調整面２１に配置された表示面１２を観察し得る視野角となる第１角度範囲ＡＲ１および太陽電池パネル５０にて発電が連続して安定して行われるようになる角度範囲である第２角度範囲ＡＲ２を、高い自由度で調整することが可能となる。加えて、太陽電池パネル５０が本体部２０の第２面２０ｂに対向して配置されているため、太陽電池パネル５０の受光面５０ａが外部に露出していない。このため、太陽電池パネル５０を目立たなくさせることができる。これらのことから、本実施の形態によれば、周囲の環境との調和を図ると共に、表示面１２による表示及び太陽電池パネル５０による発電の両立が効果的に可能となる。
【００４７】
ところで、向き調整面２１に配置された表示面１２にて形成される表示対象１３を観察している際に、表示対象１３とともに光透過面２２を介して太陽電池パネル５０が観察されると、表示対象１３の視認性や意匠性を著しく害することになる。したがって、表示面１２が観察され得る第１角度範囲ＡＲ１は、太陽電池パネル５０が観察されるようになる第２角度範囲ＡＲ２と区分けされていること、すなわち重なり合っていないことが好ましい。
【００４８】
そこで、本実施の形態の太陽電池複合型表示体１０では、図２に示す主切断面において、向き調整面２１は、本体部２０の法線方向ｎｄに対して光透過面２２とは逆側に傾斜している。このような形態によれば、向き調整面２１に配置された表示面１２は、光透過面２２に取り込まれ易い光Ｌ２２、Ｌ５１〜Ｌ５３の傾斜する方向とは逆の方向Ｄ２１、Ｄ４１〜Ｄ４３から太陽電池複合型表示体１０を観察したときに選択的に観察され易くすることができ、光透過面２２は、向き調整面２１を視認し易い方向Ｄ２１、Ｄ４１〜Ｄ４３とは逆の方向から太陽電池複合型表示体１０に入射する光Ｌ２２、Ｌ５１〜Ｌ５３を選択的に取り込むことができる。具体的には、向き調整面２１は、一端部２１ａが他端部２１ｂよりも本体部２０の法線方向ｎｄにおいて太陽電池パネル５０から離間するように、本体部２０のシート面に対して傾斜し、光透過面２２は、他端部２２ｂが一端部２２ａよりも本体部２０の法線方向ｎｄにおいて太陽電池パネル５０から離間するように、本体部２０のシート面に対して傾斜している。この場合、本体部２０の法線方向ｎｄに対して第１軸方向ｄ１における他側に傾斜した方向Ｄ２１、Ｄ４１〜Ｄ４３から太陽電池複合型表示体１０を観察したときに、光透過面２２よりも向き調整面２１に配置された表示面１２を選択的に観察し易くすることができる。また、本体部２０の法線方向ｎｄに対して第１軸方向ｄ１における一側に傾斜した方向から太陽電池複合型表示体１０へ入射する光Ｌ２２、Ｌ５１〜Ｌ５３を、向き調整面２１よりも光透過面２２に選択に導くことができる。
【００４９】
つまり、このような形態によれば、向き調整面２１に配置された表示面１２を観察し得る視野角となる第１角度範囲ＡＲ１が、パネル部材の法線方向ｎｄに対して第１軸方向ｄ１における他側に傾斜した方向に対応し、光透過面２２を介して太陽電池パネル５０に導かれるようになる太陽電池複合型表示体１０への入射方向の角度範囲である第２角度範囲ＡＲ２が、パネル部材の法線方向ｎｄに対して第１軸方向ｄ１における一側に傾斜した方向に対応する。このため、第１角度範囲ＡＲ１と第２角度範囲ＡＲ２とが、区分けされやすくなる。言い換えると、第１角度範囲ＡＲ１と第２角度範囲ＡＲ２とが、重なり合いにくくなる。
【００５０】
このように第１角度範囲ＡＲ１と第２角度範囲ＡＲ２との重なり合いが少なくなれば、表示面１２による表示機能および太陽電池パネル５０での発電機能が、互いに悪影響を及ぼすことなく、より有効に発揮されるようになる。本実施の形態においては、表示面１２に付与された表示対象１３を観察している際に、表示対象１３とともに光透過面２２を介して太陽電池パネル５０が観察されることを抑制することが可能となる。この場合、表示対象１３の視認性や表示対象１３の意匠性を改善することができる。
【００５１】
とりわけ、本実施の形態による太陽電池複合型表示体１０では、表示面１２を観察し得る視野角となる第１角度範囲ＡＲ１を鉛直方向における下側に傾斜した方向に設定し、太陽電池パネル５０に導かれるようになる太陽電池複合型表示体１０への入射方向の角度範囲である第２角度範囲ＡＲ２を鉛直方向における上側に傾斜した方向に設定している。この場合、典型的な利用として想定される表示板としての用途において太陽電池複合型表示体１０を目線よりも高い位置に設置する場合に有効である。観察者は、鉛直方向における上側に見上げながら太陽電池複合型表示体１０を観察するため、第１角度範囲ＡＲ１から表示面１２に付与された表示対象１３を観察することができる。一方、太陽光は、時間帯や季節に応じて入射方向が変化するが、鉛直方向における下側に傾斜した方向、あるいは、略水平方向に進みながら太陽電池複合型表示体１０に入射する。このため、太陽光は、時間帯や季節に応じて入射方向が変化しても、第２角度範囲ＡＲ２から光透過面２２に入射して太陽電池パネル５０に向かうことができる。したがって、このような形態によれば、太陽電池パネル５０による太陽光の受光および表示面１２による表示を効果的に両立させることができる。
【００５２】
また、本実施の形態によれば、太陽電池複合型表示体１０の主切断面において、向き調整面２１と、第１軸方向ｄ１における他側で当該向き調整面２１と隣り合う光透過面２２と、の第１軸方向ｄ１に沿った間隔ｄｔは、本体部２０の法線方向ｎｄにおいて太陽電池パネル５０に接近していくにつれて、狭くなっていく。このような形態によれば、向き調整面２１に配置された表示面１２が、光透過面２２へ入射すべき光を遮ってしまうこと、あるいは、光透過面２２が、向き調整面２１に配置された表示面１２の観察を遮ってしまうこと、を効果的に抑制することができる。このため、表示面１２が、第１角度範囲ＡＲ１内の方向から太陽電池複合型表示体１０を観察したときに、より確実に表示機能を発揮することができる。また、光透過面２２が、第２角度範囲ＡＲ２から太陽電池複合型表示体１０へ入射する光をより確実に太陽電池パネル５０へ導くことができる。
【００５３】
また、本実施の形態によれば、大型の太陽電池パネル５０が、本体部２０の第２面２０ｂに対向して配置されている。この点、各光透過面２２に小型の太陽電池パネル５０をそれぞれ配置し、全体として多数の太陽電池パネル５０を使用することも考えられる。各太陽電池パネル５０を対応する１つの光透過面２２に重ねて配置する場合、多くの太陽電池パネル５０を必要とするため、結果としてコストが高くなる。その上、１つ当たりの太陽電池パネル５０の大きさをあまり大きくすることができず、太陽電池パネル５０の特性上、発電効率をあまり高めることができない。一方、本実施の形態によれば、大型の太陽電池パネル５０が、各光透過面２２に対向して配置されている。この場合、複数の光透過面２２に対応して太陽電池パネル５０を配置することができるため、コストの増加を抑えることができる。その上、大型の太陽電池パネル５０を用いることで発電効率を高めることも可能となる。
【００５４】
ところで、下記の表１は、世界の幾つかの国の主要な都市における季節ごとの南中高度（°）を示している。使用が想定される国の主要な都市における春分秋分の南中高度が第２角度範囲ＡＲ２に含まれることが好ましい。その国で有効に使用できる可能性が高いからである。例えば、使用されることが想定される国が日本の場合は５４°から５６°までの高度が第２角度範囲ＡＲ２に含まれるようにすればよい。さらに、４９°から６１°までの高度が第２角度範囲ＡＲ２に含まれるようにすれば、世界の多くの国で有効に使用できる可能性が高いため、好ましい。また、使用が想定される国の主要な都市における夏至の南中高度から冬至の南中高度までが第２角度範囲ＡＲ２に含まれることがさらに好ましい。その国で一年を通して有効に使用できる可能性が高いからである。例えば、使用されることが想定される国が日本の場合は３１°から７９°までの高度が第２角度範囲ＡＲ２に含まれるようにすればよい。さらに、２５°から８４°までの高度が第２角度範囲ＡＲ２に含まれるようにすれば、世界の多くの国で有効に使用できる可能性が高いため、好ましい。なお、所望の高度が第２角度範囲ＡＲ２に含まれることを容易にするために、第２角度範囲ＡＲ２の角度範囲が４５°程度以上連続していることが好ましい。もっとも、太陽電池複合型表示体１０を傾けて配置することによって、所望の高度を第２角度範囲ＡＲ２に含まれるようにすることも可能である。一方、第２角度範囲ＡＲ２の角度範囲の上限については、第１角度範囲ＡＲ１とのバランスで適宜設定すればよいが、１３５°程度未満とすることによって、本実施の形態の太陽電池複合型表示体１０の特長をより発揮させることができる。
【００５５】
【表１】
0006488789.tif 000002
【００５６】
また、本件発明者らが鋭意研究を重ねたところ、太陽電池パネル５０の受光面５０ａに太陽光Ｌ２２を高い効率で取り込ませるためには、以下の条件を満たすことが好ましいことが知見された。図９に、太陽電池パネル５０に向かう太陽光の光路の一例を示す。前提として、図９に示すように、光透過面２２に入射することが意図された光Ｌ２３が本体部２０の第１面２０ａに入射するときの入射角をα０（０°≦α０＜９０°）とし、光Ｌ２３が本体部２０の第１面２０ａで屈折した屈折角をα１とする。すなわち、入射角α０は、第１面２０ａに入射する光Ｌ２３が、第１面２０ａの法線方向に対してなす角度であり、屈折角α１は、第１面２０ａで屈折した光Ｌ２３が、第１面２０ａの法線方向に対してなす角度である。図９に示す例では、第１面２０ａの法線方向は、本体部２０の法線方向ｎｄに一致する。また、空気層の屈折率をｎ０とし、本体部２０の屈折率をｎ１とする。
スネルの法則より、
［数１］
ｎ０×ｓｉｎα０＝ｎ１×ｓｉｎα１  …  （１）
が得られる。
【００５７】
さらに、本体部２０の第１面２０ａを透過した光Ｌ２３が光透過面２２に入射するときの入射角をα２とする。すなわち、入射角α２は、光透過面２２に入射する光Ｌ２３が、光透過面２２の法線方向ｎｄ１に対してなす角度である。本体部２０の第１面２０ａを透過した光Ｌ２３が本体部２０の光透過面２２で全反射することなく当該光透過面２２を透過するためには、前記光Ｌ２３が光透過面２２に入射するときの入射角α２が当該光透過面２２における全反射臨界角よりも小さければよいから、
［数２］
ｎ１×Ｓｉｎα２＜ｎ０×１          …  （２）
となる。
【００５８】
ここで、図９に示す幾何学的関係から、
［数３］
α２＝θ２−α１                    …  （３）
の関係式が成立する。
【００５９】
光透過面２２に入射することが意図された太陽光Ｌ２３の任意の入射角αで式（２）を満たすように、本体部２０の屈折率ｎ１及び光透過面２２の角度θ２を決定することにより、太陽電池パネル５０で取り込むことが意図された光Ｌ２３が光透過面２２で全反射せずに太陽電池パネル５０に向かうことができる。したがって、式（２）を満たすように屈折率ｎ１及び角度θ２を決定することにより、本体部２０の第１面２０ａから光透過面２２に向かう多くの光Ｌ２３を太陽電池パネル５０の受光面５０ａで取り込むことができる。
【００６０】
とりわけ、本体部２０の法線方向ｎｄに沿って当該本体部２０の第１面２０ａに入射した光Ｌ２４に着目する。本体部２０の法線方向ｎｄから第１面２０ａに入射する光Ｌ２４は、第１面２０ａでの入射角α０＝０°である。これを式（１）〜（３）に代入して整理すると、
［数４］
ｎ１×Ｓｉｎθ２＜ｎ０×１          …  （４）
が得られる。空気層の屈折率ｎ０は１であるから、式（４）に代入して、
［数５］
ｎ１×Ｓｉｎθ２＜１                …  （５）
が得られる。
【００６１】
式（５）は、本体部２０の法線方向ｎｄに沿って当該本体部２０の第１面２０ａに入射した光Ｌ２４が、光透過面２２に入射するときの入射角α２が、当該光透過面２２における全反射臨界角よりも小さいときの条件を示している。したがって、この式（５）を満たすように、本体部２０の屈折率ｎ１及び光透過面２２の角度θ２を決定することにより、本体部２０の法線方向ｎｄに沿って本体部２０の第１面２０ａに入射した光Ｌ２４が光透過面２２で全反射せずに太陽電池パネル５０に向かうことができる。また、本体部２０の法線方向ｎｄに対して第１軸方向ｄ１における一側に傾斜した方向から第１面２０ａに入射する光（例えばＬ２３）は、上記光Ｌ２４よりも光透過面２２での入射角度が小さくなる。このことから、式（５）を満たす場合、本体部２０の法線方向ｎｄに対して第１軸方向ｄ１における一側に傾斜した方向から第１面２０ａに入射する任意の光が、主として光透過面２２で全反射することなく当該光透過面２２を透過していくことができる。図示する例では、第１軸方向ｄ１における一側が鉛直方向における上方に対応し、本体部２０の法線方向ｎｄが水平方向に対応するように、太陽電池複合型表示体１０を設置している。
したがって、式（５）を満たす場合、鉛直方向における上方に傾斜した方向から第１面２０ａに入射する太陽光を、主として光透過面２２で全反射することなく太陽電池パネル５０に導くことが可能となる。
【００６２】
一例として、典型的な本体部２０をなす材料として、ポリメタクリル酸メチル樹脂（ＰＭＭＡ）を採用した場合について考える。この場合、本体部２０の屈折率ｎ１は、１．４９となる。式（５）に代入すると、
［数６］
Ｓｉｎθ２＜１／１．４９  ‥（６）
が得られる。式（６）をθ２について解くと、θ２＜４２．１７°‥（７）が得られる。
【００６３】
例えば、１つの向き調整面２１と１つの光透過面２２とにより、直角二等辺三角形の断面形状が規定される場合、すなわち、θ１＝θ２＝４５°で、向き調整面２１と光透過面２２とのなす角度が９０°の場合、式（７）を満たさないことがわかる。
【００６４】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６５】
上述した実施の形態では、図２に示すように、頂部２３が１つの向き調整面２１と１つの光透過面２２とにより鋭角として規定された例を示したが、頂部２３の形状は、上述した例に限定されない。図１０に、頂部２３の形状の他の形態を示す。図１０に示す例では、
頂部２３は、第１面２０ａに沿った平坦面２５として構成されており、第２面２０ｂのうち、法線方向ｎｄに沿って最も第１面２０ａから離間した位置に配置されている。各平坦面２５は、向き調整面２１のうちの太陽電池パネル５０側に位置する端部と、光透過面２２のうちの太陽電池パネル５０側に位置する端部と、の間に配置され、これらの端部同士を連結している。
【００６６】
平坦面２５が本体部２０の第１面２０ａに沿って配置されているため、平坦面２５によれば、法線方向ｎｄに沿った方向から本体部２０の第１面２０ａに入射する光Ｌ１００を太陽電池パネル５０へ高い透過率で導くことができる。また、輸送時や搬送時に、太陽電池複合型表示体１０に振動や衝撃が伝わり、本体部２０の頂部２３が太陽電池パネル５０に接触し損傷を受けるおそれがあるが、図１０に示す例によれば、平坦面２５が太陽電池パネル５０に面で接触して安定して支えることにより、頂部２３が損傷を受けるおそれを低減することができる。
【００６７】
また、上述した実施の形態において、表示面１２に重ねて反射面１５がさらに配置されていてもよい。図１１に、表示面１２に反射面１５を重ねて配置した例を示す。図１１に示す太陽電池複合型表示体１０において、表示面１２が第１面２０ａ側を向き、反射面１５が第２面２０ｂ側を向いている。すなわち、各反射面１５は、対応する表示面１２と背合わせとなるようにして、配置されている。このような反射面１５は、一例として、高い反射率を有した材料からなる薄膜によって形成される。
【００６８】
反射面１５によれば、本体部２０の法線方向ｎｄに対して第１軸方向ｄ１における一側（図１１中紙面上側）に極めて大きく傾斜した方向から本体部２０の光透過面２２に入射した光Ｌ１１０が、当該光透過面２２にて屈折して表示面１２に裏面側（第２面２０ｂ側）から接近した場合であっても、反射面１５で反射させて太陽電池パネル５０に向かわせることができる。したがって、反射面１５を設けることにより、太陽電池パネル５０に導かれる光の入射角度範囲に相当する第２角度範囲ＡＲ２をさらに広角化することができる。これにより、時間帯や季節に応じて入射方向を変化させる太陽光を、太陽電池パネル５０によって効率的に発電に利用することが可能となる。
【００６９】
また、上述した実施の形態において、光透過面２２を透過した光が太陽電池パネル５０に向かう光の光路中に拡散要素３５がさらに設けられていてもよい。図１２に、拡散層３５がさらに設けられた例を示す。図１２に示すように、拡散要素３５は、光透過面２２と太陽電池パネル５０との間となる領域を含む領域に配置されている。とりわけ、図１２に示す例では、拡散要素３５は、太陽電池パネル５０の受光面５０ａ全体に積層された拡散層をなしている。
【００７０】
具体的な構成として、拡散要素３５は、主部３５ａと、主部３５ａに分散された光を散乱させる拡散成分３５ｂと、を含んでいる。ここでいう拡散成分３５ｂとは、拡散要素３５内を進む光に対し、反射や屈折等によって、当該光の進路方向を変化させる作用を及ぼし得る成分のことである。このような拡散成分３５ｂの光散乱機能つまり光拡散機能は、例えば、拡散要素３５の主部３５ａをなす材料とは異なる屈折率を有した材料から拡散成分３５ｂを構成することにより、あるいは、光に対して反射作用を及ぼし得る材料から拡散成分３５ｂを構成することにより、付与され得る。主部３５ａをなす材料とは異なる屈折率を有する拡散成分３５ｂとして、金属化合物、気体を含有した多孔質物質、さらには、単なる気泡が例示される。
【００７１】
このような拡散要素３５によれば、光透過面２２を透過して太陽電池パネル５０に向かう途中の光Ｌ１２０が、拡散要素３５にて拡散する。拡散要素３５にて拡散された光Ｌ１２０は、太陽電池パネル５０の広い領域に到達する。このため、太陽電池パネル５０の照射されない部分を減らすことができ、太陽電池パネル５０の出力を低減させてしまうことを抑制することができる。
【００７２】
また、上述した実施の形態では、図２に示すように、本体部２０の第２面２０ｂと太陽電池パネル５０との間には、空気層が介在する例を示したが、太陽電池複合型表示体１０の形態は、このような例に限定されない。図１３に、太陽電池複合型表示体１０の他の形態を示す。図１３に示す例では、太陽電池複合型表示体１０は、本体部２０の第２面２０ｂをなす隣り合う２つの頂部２３の間となる谷部領域Ｖに位置し、当該谷部領域Ｖの少なくとも一部を埋める低屈折率層３８をさらに有している。
【００７３】
図１３に示す低屈折率層３８は、本体部２０の第２面２０ｂと太陽電池パネル５０の受光面５０ａとの間に配置され、これらを接続している。また、低屈折率層３８は、本体部２０の第２面２０ｂ及び太陽電池パネル５０の受光面５０ａを隙間なく覆っている。
【００７４】
低屈折率層３８の屈折率は、本体部２０の屈折率とは異なっている。このため、低屈折率層３８と本体部２０との界面に屈折率差が生じる。本実施の形態の低屈折率層３８の屈折率は、本体部２０の屈折率よりも低い。
【００７５】
低屈折率層３８によれば、隣り合う２つの頂部２３の間となる谷部領域Ｖの少なくとも一部を埋めることにより、本体部２０の第２面２０ｂへの押圧に対する耐性を高めることができる。
【符号の説明】
【００７６】
１０    太陽電池複合型表示体
１０ａ  表面
１０ｂ  裏面
１２    表示面
１３    表示対象
２０    本体部
２０ａ  第１面
２０ｂ  第２面
２１    向き調整面
２１ａ  一端部
２１ｂ  他端部
２２    光透過面
２２ａ  一端部
２２ｂ  他端部
５０    太陽電池パネル
５０ａ  受光面
【図１】
0006488789.tif 000003
【図２】
0006488789.tif 000004
【図３】
0006488789.tif 000005
【図４】
0006488789.tif 000006
【図５】
0006488789.tif 000007
【図６】
0006488789.tif 000008
【図７】
0006488789.tif 000009
【図８】
0006488789.tif 000010
【図９】
0006488789.tif 000011
【図１０】
0006488789.tif 000012
【図１１】
0006488789.tif 000013
【図１２】
0006488789.tif 000014
【図１３】
0006488789.tif 000015